【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
ＩＰ網は網ノード装置、接続サーバ及びドメイン名サーバを含み、無線基地局Ｂ１は、通信回線Ｌ１を経て論理端子ＬＰＢ１で網ノード装置Ｎ１に接続され、無線基地局Ｂ２は、通信回線Ｌ２を経て論理端子ＬＰＢ２で網ノード装置Ｎ２に接続され、
前記網ノード装置Ｎ１は、内部の装置制御表Ｈ１内に前記論理端子ＬＰＢ１を識別する識別情報を含む通信レコードＲ１を設定しており、前記網ノード装置Ｎ２は、内部の装置制御表Ｈ２内に前記論理端子ＬＰＢ２を識別する識別情報を含む通信レコードＲ２を設定しており、
前記網ノード装置Ｎ１及びＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部パケットを接続サーバＳ１又はＳ２へ送信する機能を有し、
移動端末Ｍ１は、前記無線基地局Ｂ１と通信して無線通信路ＲＣ１を確保し、前記移動端末Ｍ１は、電話番号又はホスト名を用いて移動端末Ｍ２に接続要求するため、前記端末Ｍ２の電話番号又はホスト名ＴＮＭ２を含む接続要求を、前記無線通信路ＲＣ１経由で前記無線基地局Ｂ１に送信し、前記無線基地局Ｂ１は、前記接続要求、前記端末Ｍ１の電話番号又はホスト名ＴＮＭ１及び前記電話番号又はホスト名ＴＮＭ２を含む外部ＩＰパケット１を形成して送信し、外部ＩＰパケット１は、前記網ノード装置Ｎ１において前記通信レコードＲ１を用いてアドレス条件が判定され、前記アドレス条件が満たされると、前記外部ＩＰパケット１がＩＰカプセル化されて得られた内部パケット１が前記接続サーバＳ１へ送信され、
前記接続サーバＳ１は、前記内部パケット１から前記電話番号又はホスト名ＴＮＭ１及びＴＮＭ２を取得し、前記接続サーバＳ１は、前記電話番号又はホスト名ＴＮＭ２をドメイン名サーバＤＳに提示して、前記宛先端末Ｍ２との通信に関わるアドレス情報を取得し、前記アドレス情報は前記無線基地局Ｂ２の外部ＩＰアドレスＥＡＢ２、前記論理端子ＬＰＢ２の識別情報としての内部ＩＰアドレスＩＡＢ２、前記接続サーバＳ２のアドレスを含み、
前記接続サーバＳ１は、前記電話番号又はホスト名ＴＮＭ１及びＴＮＭ２から回線番号ＣＮＭ１Ｍ２を定め、前記電話番号又はホスト名ＴＮＭ１、前記ＴＮＭ２及び前記回線番号ＣＮＭ１Ｍ２の３つの値を１組として回線管理表ＣＭ１に記録し、
前記接続サーバＳ１は、前記接続要求を含む初期アドレスメッセージ（ＩＡＭ）を前記接続サーバＳ２へ送信し、前記接続サーバＳ２は、前記初期アドレスメッセージから、前記電話番号又はホスト名ＴＮＭ１、前記ＴＮＭ２及び前記回線番号ＣＮＭ１Ｍ２を取得し、これら３つの値を１組として回線管理表ＣＭ２に記録し、
前記接続サーバＳ２は、前記接続要求に基づいて形成する着信通知を含む内部ＩＰパケット２ａを送信し、前記内部ＩＰパケット２ａは、前記網ノード装置Ｎ２で前記通信レコードＲ２が参照されて外部ＩＰパケット２ａに変換され、前記外部ＩＰパケット２ａは前記無線基地局Ｂ２に送信され、前記無線基地局Ｂ２は無線通信路ＲＣ２を確保し、前記無線基地局Ｂ２は、前記外部ＩＰパケット２ａ内の前記着信通知を前記端末Ｍ２に送信し、前記端末Ｍ２は前記着信通知を受信し、
前記接続サーバＳ２は、着信可否通知を含むアドレス完了メッセージ（ＡＣＭ）を前記接続サーバＳ１へ送信し、
前記端末Ｍ２は、応答準備開始を知らせる呼出中通知を前記無線基地局Ｂ２に送信し、前記無線基地局Ｂ２は前記呼出中通知を含む外部ＩＰパケット３を形成して送信し、前記外部ＩＰパケット３は、前記網ノード装置Ｎ２で内部パケット３に変換されて前記接続サーバＳ２に送られ、
前記接続サーバＳ２は前記呼出中通知を含む呼経過メッセージ（ＣＰＧ）を形成して前記接続サーバＳ１へ送信し、前記接続サーバＳ１は前記呼出中通知を含む内部ＩＰパケット４を送信し、前記内部ＩＰパケット４は前記網ノード装置Ｎ１で外部ＩＰパケット４に変換されて前記無線基地局Ｂ１に到達し、前記無線基地局Ｂ１は、前記外部ＩＰパケット４から得た前記呼出中通知を前記端末Ｍ１に送信し、
前記端末Ｍ２は応答通知を前記無線基地局Ｂ２に送信し、前記無線基地局Ｂ２は前記応答通知を含む外部ＩＰパケット５を形成して送信し、前記外部ＩＰパケット５は前記網ノード装置Ｎ２で内部ＩＰパケット５に変換されて前記接続サーバＳ２に到達し、
前記接続サーバＳ２は、前記応答通知を含む応答メッセージ（ＡＮＭ）を形成して前記接続サーバＳ１へ送信し、前記接続サーバＳ１は、前記応答通知及び前記無線基地局Ｂ２の外部ＩＰアドレスＥＡＢ２を含む内部パケット６を形成して送信し、前記内部パケット６は前記網ノード装置Ｎ１で外部ＩＰパケット６に変換されて前記無線基地局Ｂ１に到達し、前記無線基地局Ｂ１は前記無線基地局Ｂ２の外部ＩＰアドレスＥＡＢ２を保持し、前記無線基地局Ｂ１は前記応答通知を端末Ｍ１に送信し、
前記端末Ｍ１への前記応答通知の送信により、端末間通信用の通信レコードの設定が可能となり、前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は前記網ノード装置Ｎ１及びＮ２の間にＩＰ内部パケットが転送される通信パスＰ１２を定めており、
前記端末Ｍ１は、前記無線通信路ＲＣ１経由で前記音声又はデータを無線基地局Ｂ１に送信し、前記無線基地局Ｂ１は前記音声又はデータを含み、前記無線基地局Ｂ２の外部ＩＰアドレスＥＡＢ２を宛先アドレスとする外部ＩＰパケット７を形成して送信し、
前記網ノード装置Ｎ１において、前記外部ＩＰパケット７は、その内部に含まれるＩＰアドレスと、前記論理端子ＬＰＢ１により識別される前記通信レコードＲ１２に含まれるＩＰアドレスとが比較されてアドレス条件が判定され、前記アドレス条件が満たされるとＩＰカプセル化され、前記内部ＩＰアドレスＩＡＢ２を宛先アドレスとする内部ＩＰパケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２に送信され、前記無線基地局Ｂ２は、前記外部ＩＰパケット７から取得した前記音声又はデータを、前記無線通信路ＲＣ２経由で前記端末Ｍ２に送信し、
前記端末Ｍ１は通信解放通知を前記無線基地局Ｂ１へ送信し、前記無線基地局Ｂ１は前記通信解放通知含む外部ＩＰパケット８を形成して送信し、前記外部ＩＰパケット８は、前記網ノード装置Ｎ１で、前記通信解放通知を含む内部ＩＰパケット８になって前記接続サーバＳ１に送信され、前記接続サーバＳ１は前記通信解放通知を含む解放メッセージ（ＲＬＣ）を前記接続サーバＳ２へ送信し、前記接続サーバＳ２は解放完了メッセージ（ＲＬＣ）を前記接続サーバＳ１へ送信し、前記接続サーバＳ１及びＳ２は、前記網ノード装置Ｎ１又はＮ２に対して前記通信レコードＲ１２又はＲ２１の抹消を指示することを特徴とするＩＰ網を用いた通信システム。
【請求項２】
前記ＩＰ網は更にユーザサービスサーバを含み、ユーザＹは移動端末Ｙの登録を受付者に申込み、前記受付者は、前記ユーザサービスサーバを用いてユーザ識別情報Ｙ、端末認証情報Ｙを受付け、電話番号又はホスト名Ｙを定め、前記ユーザサービスサーバが前記端末Ｙの電話番号又はホスト名Ｙ、及び前記端末認証情報Ｙの組を前記ドメイン名サーバＤＳに登録するようになっている請求項１に記載のＩＰ網を用いた通信システム。
【請求項３】
移動端末Ｙは、前記移動端末Ｙの電話番号又はホスト名Ｙ及び前記端末Ｙの端末認証情報Ｙを含む位置登録要求情報Ｙを前記無線基地局Ｂ１又はＢ２に送信し、前記位置登録要求情報Ｙは、前記無線基地局Ｂ１又はＢ２から前記無線基地局Ｂ１又はＢ２の接続制御を担う接続サーバＳ１又はＳ２を経由して前記ドメイン名サーバＤＳに到達し、前記ドメイン名サーバＤＳは、内部で保持している前記端末認証情報Ｙを用いて位置登録要求情報Ｙの正当性を調べ、前記正当性が合格と判定されると、前記ＩＰ網は、前記電話番号又はホスト名Ｙに対応する前記無線基地局Ｘの位置情報を前記ドメイン名サーバＤＳの内部に追加し、前記位置情報は前記無線基地局Ｘが通信回線で接続する網ノード装置の論理端子ＬＰｘｘを識別する内部ＩＰアドレスＩＡｘｘを含み、前記位置変更登録要求Ｙへの合否を前記移動端末Ｙに通知するようになっている請求項１に記載のＩＰ網を用いた通信システム。
【請求項４】
ＩＰ網は網ノード装置、接続サーバ及びドメイン名サーバを含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＢ２を識別する識別情報を含む通信レコードＲ２を設定しており、
前記網ノード装置Ｎ１及びＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部パケットを接続サーバＳ１又はＳ２へ送信する機能を有し、
移動端末Ｍ１は前記無線基地局Ｂ１と通信して無線通信路ＲＣ１を確保し、電話番号又はホスト名を用いて移動端末Ｍ２に接続要求するため、前記移動端末Ｍ１は、接続要求、前記端末Ｍ１の電話番号又はホスト名ＴＮＭ１及び前記端末Ｍ２の電話番号又はホスト名ＴＮＭ２を含む外部ＩＰパケット１を形成し、前記外部ＩＰパケット１を無線通信路ＲＣ１及び前記無線基地局Ｂ１経由で前記網ノード装置Ｎ１へ送信し、
前記外部ＩＰパケット１は、前記網ノード装置Ｎ１において、前記通信レコードＲ１が用いられてアドレス条件が判定され、前記アドレス条件が満たされると、前記外部ＩＰパケット１がＩＰカプセル化されて得られた内部パケット１が前記接続サーバＳ１へ送信され、
前記接続サーバＳ１は、前記内部パケット１から取得した前記電話番号又はホスト名ＴＮＭ２をドメイン名サーバＤＳに提示し、前記宛先端末Ｍ２との通信に関わるアドレス情報を取得し、前記アドレス情報は前記端末Ｍ２の外部ＩＰアドレスＥＡＭ２、前記論理端子ＬＰＢ２の識別情報としての内部ＩＰアドレスＩＡＢ２及び前記接続サーバＳ２のアドレスを含み、
前記接続サーバＳ１は前記電話番号又はホスト名ＴＮＭ１及びＴＮＭ２から回線番号ＣＮＭ１Ｍ２を定め、前記電話番号又はホスト名ＴＮＭ１、ＴＮＭ２、前記回線番号ＣＮＭ１Ｍ２の３つの値を１組として回線管理表ＣＭ１に記録し、
前記接続サーバＳ１は前記接続要求を含む初期アドレスメッセージ（ＩＡＭ）を前記接続サーバＳ２へ送信し、前記接続サーバＳ２は前記初期アドレスメッセージから、前記電話番号又はホスト名ＴＮＭ１、ＴＮＭ２及び前記回線番号ＣＮＭ１Ｍ２を取得し、これら３つの値を１組として回線管理表ＣＭ２に記録し、
前記接続サーバＳ２は、前記接続要求に基づく着信通知を含む内部パケット２ａを送信し、前記内部パケット２ａは前記網ノード装置Ｎ２で外部ＩＰパケット２ａに変換されて前記無線基地局Ｂ２に到達し、前記無線基地局Ｂ２は無線通信路ＲＣ２を確保し、前記外部ＩＰパケット２ａを前記端末Ｍ２に送信し、前記端末Ｍ２は前記外部ＩＰパケット２ａを受信し、
前記接続サーバＳ２は着信可否通知を含むアドレス完了メッセージ（ＡＣＭ）を前記接続サーバＳ１へ送信し、
前記端末Ｍ２は、応答準備開始を知らせる呼出中通知を含む外部ＩＰパケット３を形成して送信し、前記外部ＩＰパケット３は、前記網ノード装置Ｎ２で内部パケット３に変換されて前記接続サーバＳ２に送られ、
前記接続サーバＳ２は前記呼出中通知を含む呼経過メッセージ（ＣＰＧ）を形成して前記接続サーバＳ１へ送信し、前記接続サーバＳ１は、前記呼出中通知を含む内部パケット４を送信し、前記内部パケット４は、前記網ノード装置Ｎ１で外部ＩＰパケット４に変換されて前記無線基地局Ｂ１を経て前記端末Ｍ１に到達し、
前記端末Ｍ２は応答通知含む外部ＩＰパケット５を形成して送信し、外部ＩＰパケット５は前記網ノード装置Ｎ２で内部パケット５に変換されて前記接続サーバＳ２に到達し、
前記接続サーバＳ２は前記応答通知を含む応答メッセージ（ＡＮＭ）を形成して前記接続サーバＳ１へ送信し、前記接続サーバＳ１は前記応答通知及び前記端末Ｍ２の外部ＩＰアドレスＥＡＭ２を含む内部パケット６を送信し、前記内部パケット６は前記網ノード装置Ｎ１で外部ＩＰパケット６に変換されて前記無線基地局Ｂ１を経て前記端末Ｍ１に到達し、
前記端末Ｍ１への前記応答通知の送信により端末間通信用の通信レコードの設定が可能となり、前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は前記網ノード装置Ｎ１及びＮ２の間に内部パケットが転送される通信パスＰ１２を定めており、
前記端末Ｍ１は、前記端末Ｍ２の外部ＩＰアドレスＥＡＭ２を宛先アドレスとするＩＰパケット７を送信すると、前記ＩＰパケット７は前記無線基地局Ｂ１を経て前記網ノード装置Ｎ１に到達し、前記網ノード装置Ｎ１は、前記外部ＩＰパケット７の内部に含まれるＩＰアドレスと、前記論理端子ＬＰＢ１により識別される前記通信レコードＲ１２に含まれるＩＰアドレスとを比較してアドレス条件を判定し、前記アドレス条件が満たされると、前記外部ＩＰパケット７は、前記内部ＩＰアドレスＩＡＢ２を宛先アドレスとする内部パケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２を経て前記端末Ｍ２に到達し、
前記端末Ｍ１が通信解放通知を含む外部ＩＰパケット８を形成して送信すると、前記外部ＩＰパケット８は前記網ノード装置Ｎ１で前記通信解放通知を含む内部パケット８になって前記接続サーバＳ１に到達し、前記接続サーバＳ１は前記通信解放通知を含む解放メッセージ（ＲＥＬ）を前記接続サーバＳ２へ送信し、前記接続サーバＳ２は解放完了メッセージ（ＲＣＬ）を前記接続サーバＳ１へ送信し、
前記接続サーバＳ１及びＳ２は前記通信レコードＲ１２又はＲ２１の抹消を指示することを特徴とするＩＰ網を用いた通信システム。
【請求項５】
ＩＰ網は複数の網ノード装置及び接続サーバを含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、前記網ノード装置Ｎ１及びＮ２は前記ＩＰ網内部の通信回線で接続され、
端末Ｍ１は、無線通信路ＲＣ１経由で無線基地局Ｂ１と制御信号又はデータを送受可能であり、端末Ｍ２は、無線通信路ＲＣ２経由で無線基地局Ｂ２と制御信号又はデータを送受可能であり、
前記網ノード装置Ｎ１は前記論理端子ＬＰＢ１を識別する識別情報を含む通信レコードＲ１を設定しており、前記網ノード装置Ｎ２は前記論理端子ＬＰＢ２を識別する識別情報を含む通信レコードＲ２を設定しており、前記網ノード装置Ｎ１及びＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化して内部パケットを形成して前記ＩＰ網に入力する機能を有しており、
端末Ｍ１は電話番号又はホスト名を用いて端末Ｍ２に接続要求するため、前記端末Ｍ２の電話番号又はホスト名ＴＮＭ２を含む接続要求を前記無線基地局Ｂ１に送信し、前記無線基地局Ｂ１は前記接続要求、前記電話番号又はホスト名ＴＮＭ２を含む外部ＩＰパケット１を接続サーバＳ１へ送信し、
前記接続サーバＳ１は前記接続要求を含む初期アドレスメッセージを前記接続サーバＳ２へ送信し、
前記接続サーバＳ２は前記端末Ｍ２に着信通知を送信し、
前記端末Ｍ２は応答準備開始を知らせる呼出中通知を前記ＩＰ網に送信し、前記ＩＰ網は前記呼出中通知を前記端末Ｍ１に送信し、
前記端末Ｍ２は応答通知を送信し、前記端末Ｍ１への前記応答通知の送信により、前記端末Ｍ１と前記端末Ｍ２との間で通信を行うための通信レコードの設定が可能となり、
前記接続サーバＳ２は前記応答通知を含む応答メッセージを形成して前記接続サーバＳ１へ送信し、前記接続サーバＳ１は前記応答通知を前記端末Ｍ１に送信し、
前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は前記網ノード装置Ｎ１及びＮ２の間に内部パケットが転送される通信パスＰ１２を定めており、
前記端末Ｍ１は前記無線通信路ＲＣ１を経て音声又はデータを無線基地局Ｂ１に送信し、前記無線基地局Ｂ１は前記音声又はデータを含む外部ＩＰパケット１２を送信し、前記外部ＩＰパケット１２は論理端子ＬＰＢ１から前記網ノード装置Ｎ１に入力し、前記外部ＩＰパケット１２に含まれるＩＰアドレスと、前記論理端子ＬＰＢ１により識別される前記通信レコードＲ１２に含まれるＩＰアドレスとを比較してアドレス条件が判定され、前記アドレス条件が満たされると前記外部ＩＰパケット１２はＩＰカプセル化され、内部パケット１２に変換されて前記通信パスＰ１２を転送され、前記網ノード装置Ｎ２で逆ＩＰカプセル化されて復元された前記外部ＩＰパケット１２が前記無線基地局Ｂ２に到達し、前記無線基地局Ｂ２は前記音声又はデータを前記無線通信路ＲＣ２経由で前記端末Ｍ２に送信し、
前記端末Ｍ１又はＭ２が通信解放通知を送信し、前記接続サーバＳ１は前記通信レコードＲ１２の抹消を指示し、前記接続サーバＳ２は前記通信レコードＲ２１の抹消を指示し、前記通信パスＰ１２が抹消されることを特徴とするＩＰ網を用いた通信システム。
【請求項６】
前記端末Ｍ２は、前記着信通知を受信した後、応答準備開始を知らせる呼出中通知を前記ＩＰ網に送信せず、前記ＩＰ網は前記呼出中通知を前記端末Ｍ１に送信しないようになっている請求項５に記載のＩＰ網を用いた通信システム。
【請求項７】
ＩＰ網は複数の網ノード装置及び接続サーバを含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、前記網ノード装置Ｎ１及びＮ２は前記ＩＰ網内部の通信回線で接続され、
端末Ｍ１は、無線通信路ＲＣ１、無線基地局Ｂ１、通信回線Ｌ１経由で網ノード装置Ｎ１との間で制御信号又はデータ含む外部ＩＰパケットを送信可能であり、端末Ｍ２は、無線通信路ＲＣ２、無線基地局Ｂ２、通信回線Ｌ２経由で網ノード装置Ｎ２との間で制御信号又はデータ含む外部ＩＰパケットを送信可能であり、
前記網ノード装置Ｎ１は前記論理端子ＬＰＢ１を識別する識別情報を含む通信レコードＲ１を設定しており、前記網ノード装置Ｎ２は前記論理端子ＬＰＢ２を識別する識別情報を含む通信レコードＲ２を設定しており、前記網ノード装置Ｎ１及びＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると前記外部ＩＰパケットをＩＰカプセル化して内部パケットを形成して前記ＩＰ網に入力する機能を有しており、
前記端末Ｍ１は、接続要求、前記端末Ｍ２の電話番号又はホスト名ＴＮＭ２を含む外部ＩＰパケット１を形成して接続サーバＳ１に送信し、
前記接続サーバＳ１は前記接続要求を含む初期アドレスメッセージを前記接続サーバＳ２へ送信し、
前記接続サーバＳ２は、前記端末Ｍ２に着信通知を送信し、
前記端末Ｍ２は応答準備開始を知らせる呼出中通知を前記ＩＰ網に送信し、前記ＩＰ網は前記呼出中通知を前記端末Ｍ１に送信し、
前記端末Ｍ２は応答通知を送信し、前記端末Ｍ１への前記応答通知の送信により、前記端末Ｍ１と前記端末Ｍとの間で通信を行うための通信レコードの設定が可能となり、
前記接続サーバＳ２は前記応答通知を含む応答メッセージを形成して前記接続サーバＳ１へ送信し、前記接続サーバＳ１は前記応答通知を前記端末Ｍ１に送信し、
前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は前記網ノード装置Ｎ１及びＮ２の間に内部パケットが転送される通信パスＰ１２を定めており、
前記端末Ｍ１は、前記端末Ｍ２の外部ＩＰアドレスＥＡＭ２を宛先アドレスとするＩＰパケット１２を送信すると、前記ＩＰパケット１２は、前記無線基地局Ｂ１を経て前記網ノード装置Ｎ１に到達し、
前記外部ＩＰパケット１２は論理端子ＬＰＢ１から前記網ノード装置Ｎ１に入力し、前記外部ＩＰパケット１２に含まれるＩＰアドレスと、前記論理端子ＬＰＢ１により識別される前記通信レコードＲ１２に含まれるＩＰアドレスとを比較してアドレス条件が判定され、前記アドレス条件が満たされると前記外部ＩＰパケット１２はＩＰカプセル化され、内部パケット１２に変換されて前記通信パスＰ１２を転送され、
前記網ノード装置Ｎ２で逆ＩＰカプセル化されて復元された前記外部ＩＰパケット１２が前記通信回線L２に送出され、前記外部ＩＰパケット１２が、前記無線基地局Ｂ２を経て前記端末Ｍ２に到達し、
前記端末Ｍ１又はＭ２が通信解放通知を送信し、前記接続サーバＳ１は前記通信レコードＲ１２の抹消を指示し、前記接続サーバＳ２は前記通信レコードＲ２１の抹消を指示し、前記通信パスＰ１２が抹消されることを特徴とするＩＰ網を用いた通信システム。
【請求項８】
前記端末Ｍ２は、前記着信通知を受信した後、呼出中通知を、前記ＩＰ網に向けて送信せず、前記ＩＰ網は呼出中通知を前記端末Ｍ１に送信しないようになっている請求項７に記載のＩＰ網を用いた通信システム。
【請求項９】
ＩＰ網は網ノード装置を含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＢ２を識別する識別情報を含む通信レコードＲ２を設定しており、
前記網ノード装置Ｎ１及びＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを前記ＩＰ網へ送信する機能を有し、
移動端末Ｍ１は前記無線基地局Ｂ１と通信して無線通信路ＲＣ１を確保し、電話番号又はホスト名を用いて移動端末Ｍ２に接続要求するため、前記端末Ｍ２の電話番号又はホスト名ＴＮＭ２を含む接続要求を、無線通信路ＲＣ１経由で前記無線基地局Ｂ１に送信し、前記無線基地局Ｂ１は、前記接続要求、前記端末Ｍ１の電話番号又はホスト名ＴＮＭ１及び前記電話番号又はホスト名ＴＮＭ２を含む外部ＩＰパケット１を形成してＩＰ網へ送信し、前記外部ＩＰパケット１は、前記網ノード装置Ｎ１で内部ＩＰパケット１となって前記ＩＰ網に入力し、
前記ＩＰ網は、前記内部ＩＰパケット１から前記電話番号又はホスト名ＴＮＭ１及びＴＮＭ２を取得し、内部のドメイン名サーバＤＳを用いて、前記電話番号又はホスト名ＴＮＭ２から前記宛先端末Ｍ２との通信に関わるアドレス情報を取得し、前記アドレス情報は前記無線基地局Ｂ２の外部ＩＰアドレスＥＡＢ２、前記論理端子ＬＰＢ２の識別情報としての内部ＩＰアドレスＩＡＢ２を含み、
前記ＩＰ網は前記電話番号又はホスト名ＴＮＭ１及びＴＮＭ２から回線番号ＣＮＭ１Ｍ２を定め、前記電話番号又はホスト名ＴＮＭ１、ＴＮＭ２及び前記回線番号ＣＮＭ１Ｍ２の３つの値を１組として回線管理表ＣＭに記録し、
前記ＩＰ網は、前記接続要求に基づいて形成する着信通知を含む内部ＩＰパケット２ａを送信し、前記内部ＩＰパケット２ａは、前記網ノード装置Ｎ２で前記通信レコードＲ２が参照され、外部ＩＰパケット２ａに変換されて前記無線基地局Ｂ２に送信され、前記無線基地局Ｂ２は無線通信路ＲＣ２を確保し、前記無線基地局Ｂ２は前記外部ＩＰパケット２ａから得た前記着信通知を前記端末Ｍ２に送信し、前記端末Ｍ２は前記着信通知を受信し、
前記端末Ｍ２は応答準備開始を知らせる呼出中通知を前記無線基地局Ｂ２に送信し、前記無線基地局Ｂ２は前記呼出中通知を含む外部ＩＰパケット３を形成して送信し、前記外部ＩＰパケット３は、前記網ノード装置Ｎ２で内部ＩＰパケット３に変換されて前記ＩＰ網に入力し、
前記ＩＰ網は、前記呼出中通知を含む内部ＩＰパケット４を送信すると、前記内部ＩＰパケット４は、前記網ノード装置Ｎ１で外部ＩＰパケット４に変換されて前記無線基地局Ｂ１に送信され、前記無線基地局Ｂ１は、前記外部ＩＰパケット４から得た呼出中通知を前記端末Ｍ１に送信し、
前記端末Ｍ２は応答通知を前記無線基地局Ｂ２に送信し、前記応答通知を含む外部ＩＰパケット５は、前記網ノード装置Ｎ２で内部ＩＰパケット５に変換されて前記ＩＰ網に入力し、
前記ＩＰ網は前記応答通知及び前記無線基地局Ｂ２の外部ＩＰアドレスＥＡＢ２を含む内部ＩＰパケット６を形成して送信し、前記内部ＩＰパケット６は、前記網ノード装置Ｎ１で外部ＩＰパケット６に変換されて前記無線基地局Ｂ１に送信され、前記無線基地局Ｂ１は、前記無線基地局Ｂ２の外部ＩＰアドレスＥＡＢ２を保持し、前記無線基地局Ｂ１は前記応答通知を前記端末Ｍ１に送信し、
前記端末Ｍ１への前記応答通知の送信により端末間通信用の通信レコードの設定が可能となり、前記ＩＰ網は前記網ノード装置Ｎ１に通信レコードＲ１２を設定し、前記網ノード装置Ｎ２に通信レコードＲ２１を設定し、前記通信レコードＲ１２及びＲ２１は前記網ノード装置Ｎ１及びＮ２の間に内部ＩＰパケットが転送される通信パスＰ１２を定めており、
前記端末Ｍ１は、前記無線通信路ＲＣ１経由で音声又はデータを無線基地局Ｂ１に送信し、前記無線基地局Ｂ１は前記音声又はデータを含み、前記無線基地局Ｂ２の外部ＩＰアドレスＥＡＢ２を宛先アドレスとするＩＰパケット７を形成して送信し、前記外部ＩＰパケット７に含まれるＩＰアドレスと、前記論理端子ＬＰＢ１により識別される前記通信レコードＲ１２に含まれるＩＰアドレスとを比較してアドレス条件が判定され、
前記アドレス条件が満たされるとＩＰカプセル化され、前記内部ＩＰアドレスＩＡＢ２を宛先アドレスとする内部ＩＰパケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２に到達し、前記無線基地局Ｂ２は前記外部ＩＰパケット７から取得した前記音声又はデータを前記無線通信路ＲＣ２経由して前記端末Ｍ２に送信し、
前記端末Ｍ１は通信解放通知を前記無線基地局Ｂ１へ送信し、前記無線基地局Ｂ１は、前記通信解放通知含む外部ＩＰパケット８を形成して前記ＩＰ網に送信し、前記外部ＩＰパケット８は、前記網ノード装置Ｎ１で前記通信解放通知を含む内部ＩＰパケット８になって前記ＩＰ網に入力し、
前記ＩＰ網は、解放指示を含む内部ＩＰパケット９を前記無線基地局Ｂ２に送信し、前記無線基地局Ｂ２は解放指示を含む外部ＩＰパケット９を受信し、前記解放指示を前記端末Ｍ２に向けて送信し、前記ＩＰ網は前記通信レコードＲ１２及びＲ２１を抹消することを特徴とするＩＰ網を用いた通信システム。
【請求項１０】
前記ＩＰ網はユーザサービスサーバを含み、ユーザＹが移動端末Ｙの登録を前記ＩＰ網に申込むと、前記ＩＰ網は、前記ユーザサービスサーバを用いて、ユーザ識別情報Ｙ、端末認証情報Ｙ，料金支払方法Ｙを受付け、前記端末ＹのＩＰアドレスＹ、電話番号又はホスト名Ｙを定め、前記受付けにより前記ユーザサービスサーバが保持している前記端末Ｙの電話番号又はホスト名Ｙ、前記ＩＰアドレスＹ及び前記端末認証情報Ｙの組をＩＰ網内部の前記ドメイン名サーバＤＳに登録するようになっている請求項９に記載のＩＰ網を用いた通信システム。
【請求項１１】
移動端末Ｙは、前記移動端末Ｙの電話番号又はホスト名Ｙ及び前記端末Ｙの端末認証情報Ｙを含む位置登録要求情報Ｙを前記無線基地局Ｘを経由して前記ＩＰ網に送信し、前記無線基地局Ｘは前記無線基地局Ｂ１、Ｂ２、Ｂ３又はＢ４のいずれかであり、前記位置登録要求情報Ｙは前記ＩＰ網内部の前記ドメイン名サーバＤＳに到達し、前記ＩＰ網は、前記ドメイン名サーバＤＳの内部で既に保持している前記端末認証情報Ｙを用いて位置登録要求情報Ｙの正当性を調べ、前記正当性に合格すると、前記ＩＰ網は、前記電話番号又はホスト名Ｙに対応する前記無線基地局Ｘの位置情報を前記ドメイン名サーバＤＳの内部に追加し、前記位置情報は前記無線基地局Ｘが通信回線で接続する網ノード装置の論理端子ＬＰｘｘを識別する内部ＩＰアドレスＩＡｘｘを含み、前記位置変更登録要求Ｙへの合否を前記移動端末Ｙに通知するようになっている請求項９に記載のＩＰ網を用いた通信システム。
【請求項１２】
ＩＰ網は網ノード装置を含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
前記網ノード装置Ｎ１は、内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＢ２を識別する識別情報を含む通信レコードＲ２を設定しており、前記網ノード装置Ｎ１及びＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部パケットを前記ＩＰ網へ入力する機能を有し、
移動端末Ｍ１は前記無線基地局Ｂ１と通信して無線通信路ＲＣ１を確保し、前記移動端末Ｍ１は電話番号又はホスト名を用いて移動端末Ｍ２に接続要求するため、接続要求、前記端末Ｍ１の電話番号又はホスト名ＴＮＭ１及び前記端末Ｍ２の電話番号又はホスト名ＴＮＭ２を含む外部ＩＰパケット１を形成し、前記外部ＩＰパケット１を前記無線通信路ＲＣ１及び前記無線基地局Ｂ１経由で前記ＩＰ網へ送信し、前記外部ＩＰパケット１は内部パケット１となって前記ＩＰ網に入力し、
前記ＩＰ網は、内部のドメイン名サーバＤＳを用いて、前記内部パケット１から取得した前記電話番号又はホスト名ＴＮＭ２から前記宛先端末Ｍ２との通信に関わるアドレス情報を取得し、前記アドレス情報は前記端末Ｍ２の外部ＩＰアドレスＥＡＭ２、前記論理端子ＬＰＢ２の識別情報としての内部ＩＰアドレスＩＡＢ２を含み、
前記ＩＰ網は、前記電話番号又はホスト名ＴＮＭ１及びＴＮＭ２から回線番号ＣＮＭ１Ｍ２を定め、前記電話番号又はホスト名ＴＮＭ１、ＴＮＭ２、及び前記回線番号ＣＮＭ１Ｍ２の３つの値を１組として、回線管理表ＣＭに記録し、
前記ＩＰ網は、前記接続要求に基づく着信通知を含む内部パケット２ａを送信し、前記内部パケット２ａは前記網ノード装置Ｎ２で外部ＩＰパケット２ａに変換されて前記無線基地局Ｂ２に到達し、前記無線基地局Ｂ２は無線通信路ＲＣ２を確保し、前記外部ＩＰパケット２ａを前記端末Ｍ２に送信し、前記端末Ｍ２は外部ＩＰパケット２ａを含む前記着信通知を受信し、
前記端末Ｍ２は応答準備開始を知らせる呼出中通知を含む外部ＩＰパケット３を形成して送信し、前記外部ＩＰパケット３は、その内部に含まれるＩＰアドレスと、前記通信レコードＲ２に含まれるＩＰアドレスとを比較してアドレス条件が判定され、
前記アドレス条件が満たされると、内部パケット３になって前記ＩＰ網に入力し、前記呼出中通知を含む内部パケット４を送信すると、前記ＩＰ網は、前記内部パケット４は前記網ノード装置Ｎ１で外部ＩＰパケット４に変換されて前記端末Ｍ１に到達し、
前記端末Ｍ２は応答通知含む外部ＩＰパケット５を形成して送信し、前記外部ＩＰパケット５は、前記網ノード装置Ｎ２で内部パケット５となって前記ＩＰ網に入力し、
前記ＩＰ網は、前記応答通知及び前記端末Ｍ２の外部ＩＰアドレスＥＡＭ２を含む内部パケット６を送信し、前記内部パケット６は前記網ノード装置Ｎ１で外部ＩＰパケット６に変換されて前記無線基地局Ｂ１を経て前記端末Ｍ１に到達し、
前記端末Ｍ１への前記応答通知の送信により、端末間通信用の通信レコードの設定が可能となり、前記ＩＰ網は前記網ノード装置Ｎ１に通信レコードＲ１２を設定し、前記網ノード装置Ｎ２に通信レコードＲ２１を設定し、前記通信レコードＲ１２及びＲ２１は前記網ノード装置Ｎ１及びＮ２の間に内部パケットが転送される通信パスＰ１２を定めており、
前記端末Ｍ１が前記端末Ｍ２の外部ＩＰアドレスＥＡＭ２を宛先アドレスとするＩＰパケット７を送信すると、前記外部ＩＰパケット７は前記無線基地局Ｂ１を経て前記網ノード装置Ｎ１に到達し、前記網ノード装置Ｎ１は、前記外部ＩＰパケット７の内部に含まれるＩＰアドレスと、前記論理端子ＬＰＢ１により識別される前記通信レコードＲ１２に含まれるＩＰアドレスとを比較してアドレス条件を判定し、前記アドレス条件が満たされると、前記外部ＩＰパケット７は、前記内部ＩＰアドレスＩＡＢ２を宛先アドレスとする内部パケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２を経て前記端末Ｍ２に到達し、
前記端末Ｍ１が通信解放通知を含む外部ＩＰパケット８を形成して、送信すると、前記外部ＩＰパケット８は前記網ノード装置Ｎ１で内部パケット８になって前記ＩＰ網に入力し、
前記ＩＰ網は、前記通信レコードＲ１２及びＲ２１の抹消を指示することを特徴とするＩＰ網を用いた通信システム。
【請求項１３】
ＩＰ網は複数の網ノード装置を含み、前記複数の網ノード装置は通信回線で接続され、無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、
端末Ｍ１は電話番号又はホスト名を用いて端末Ｍ２に接続を要求するため、前記無線基地局Ｂ１と通信して無線通信路ＲＣ１を確保すると、前記無線通信路ＲＣ１経由で、接続要求及び前記端末Ｍ２の電話番号又はホスト名ＴＮＭ２を前記無線基地局Ｂ１に送信し、
前記無線基地局Ｂ１は前記接続要求及び前記電話番号又はホスト名ＴＮＭ２含む外部ＩＰパケットを前記ＩＰ網に送信し、前記ＩＰ網は、前記ＩＰ網内部のサーバを用いて、前記宛先端末Ｍ２との通信に用いる前記網ノード装置Ｎ２及び前記無線基地局Ｂ２とを特定し、前記接続要求に基づく着信通知を含む外部ＩＰパケットを、前記網ノード装置Ｎ２経由で前記無線基地局Ｂ２に送信し、前記無線基地局Ｂ２は前記端末Ｍ２と通信して無線通信路ＲＣ２を確保すると、前記着信通知を前記端末Ｍ２に送信し、
前記端末Ｍ２は、応答準備開始を知らせる呼出中通知を前記無線基地局Ｂ２へ送信し、前記無線基地局Ｂ２は前記呼出中通知を含む外部ＩＰパケットを前記ＩＰ網に送信し、前記ＩＰ網は前記呼出中通知を含む外部ＩＰパケットを前記無線基地局Ｂ１に送信し、前記無線基地局Ｂ１は前記呼出中通知を前記端末Ｍ１に送信し、
前記端末Ｍ２は、応答通知を前記無線基地局Ｂ２へ送り、前記無線基地局Ｂ２は応答通知を含む外部ＩＰパケットを前記ＩＰ網に送信し、前記ＩＰ網は前記応答通知を含む外部ＩＰパケットを前記無線基地局Ｂ１へ送り、前記無線基地局Ｂ１は前記応答通知を前記端末Ｍ１に送信し、前記網ノード装置Ｎ１は前記論理端子ＬＰ２を識別する識別情報を含む通信レコードＲ１２をその内部に設定し、前記網ノード装置Ｎ２は、前記論理端子ＬＰ１を識別する識別情報を含む通信レコードＲ２１をその内部に設定し、前記通信レコードＲ１２及びＲ２１により前記論理端子ＬＰ１及びＬＰ２の間に、前記端末Ｍ１と前記端末Ｍ２とが通信を行うための通信パスＰ１２が設定され、
前記端末Ｍ１は音声又はデータを前記無線基地局Ｂ１へ送り、前記無線基地局Ｂ１は、前記音声又はデータを含む外部ＩＰパケットＧＰを前記ＩＰ網へ送信すると、前記外部ＩＰパケットＧＰは前記論理端子ＬＰ１から前記網ノード装置Ｎ１に入力され、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記内部パケットＮＰから前記外部ＩＰパケットＧＰを復元し、復元された前記音声又はデータを含む外部ＩＰパケットＧＰを前記無線基地局Ｂ２に送信し、前記無線基地局Ｂ２は、前記音声又はデータを前記端末Ｍ２に送信し、
前記網ノード装置Ｎ１及びＮ２は、前記端末Ｍ１又はＭ２からの通信切断要求を基に前記通信レコードＲ１２又はＲ２１を消去し、前記通信パスＰ１２が抹消されることを特徴とするＩＰ網を用いた通信システム。
【請求項１４】
前記端末Ｍ２は、前記着信通知を前記無線基地局Ｂ２から受信した後、応答準備開始を知らせる呼出中通知を前記無線基地局Ｂ２に送信せず、前記呼出中通知が前記ＩＰ網を経由して前記端末Ｍ１に到達しないようになっている請求項１３に記載のＩＰ網を用いた通信システム。
【請求項１５】
ＩＰ網は複数の網ノード装置を含み、前記複数の網ノード装置は前記ＩＰ網内部の通信回線で接続され、
無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、
端末Ｍ１及び端末Ｍ２はＩＰアドレスを有し、外部ＩＰパケットを送受可能であり、
前記端末Ｍ１は、電話番号又はホスト名を用いて前記端末Ｍ２に接続を要求するため、前記無線基地局Ｂ１と通信して無線通信路ＲＣ１を確保し、
接続要求及び前記端末Ｍ２の電話番号又はホスト名ＴＮＭ２を含む外部ＩＰパケットを、前記無線通信路ＲＣ１及び無線基地局Ｂ１経由で前記ＩＰ網に送信し、前記ＩＰ網は、前記ＩＰ網内部のドメイン名サーバを用いて、前記宛先端末Ｍ２との通信に用いる前記網ノード装置Ｎ２及び前記無線基地局Ｂ２とを特定し、前記接続要求に基づく着信通知を含む外部ＩＰパケットを前記網ノード装置Ｎ２から前記無線基地局Ｂ２に送信し、前記無線基地局Ｂ２は前記端末Ｍ２と通信して無線通信路ＲＣ２を確保すると、前記着信通知を含む前記外部ＩＰパケットを前記端末Ｍ２に送信し、
前記端末Ｍ２は、応答準備開始を知らせる呼出中通知を含む外部ＩＰパケットを前記ＩＰ網に送信し、前記ＩＰ網は前記呼出中通知を含む外部ＩＰパケットを前記無線基地局Ｂ１経由で前記端末Ｍ１に送信し、
前記端末Ｍ２は応答通知を含む外部ＩＰパケットを前記ＩＰ網に送信し、前記ＩＰ網は前記応答通知を含む外部ＩＰパケットを前記端末Ｍ１に送信し、
前記網ノード装置Ｎ１は前記論理端子ＬＰ２を識別する識別情報を含む通信レコードＲ１２をその内部に設定し、前記網ノード装置Ｎ２は、前記論理端子ＬＰ１を識別する識別情報を含む通信レコードＲ２１をその内部に設定し、前記通信レコードＲ１２及びＲ２１により前記論理端子ＬＰ１及びＬＰ２の間に、前記端末Ｍ１と前記端末Ｍ２とが通信を行うための通信パスＰ１２が設定され、
前記端末Ｍ１は音声又はデータを含む外部ＩＰパケットＧＰを前記ＩＰ網へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記内部パケットＮＰから前記外部ＩＰパケットＧＰを復元し、復元された前記外部ＩＰパケットＧＰを送信し、前記外部ＩＰパケットＧＰは前記無線基地局Ｂ２、前記無線通信路ＲＣ２を経て前記端末Ｍ２に到達し、
前記網ノード装置Ｎ１及びＮ２は、前記端末Ｍ１又はＭ２からの通信切断の要求を含む外部ＩＰパケットを基に前記通信レコードＲ１２又はＲ２１を消去し、前記通信パスＰ１２が抹消されることを特徴とするＩＰ網を用いた通信システム。
【請求項１６】
前記端末Ｍ２は、前記着信通知を前記無線基地局Ｂ２から受信した後、応答準備開始を知らせる呼出中通知を含む外部ＩＰパケット前記無線基地局Ｂ２に送信せず、前記呼出中通知含む外部ＩＰパケットが前記ＩＰ網を経由して前記端末Ｍ１に到達しないようになっている請求項１５に記載のＩＰ網を用いた通信システム。
【請求項１７】
ＩＰ網は複数の網ノード装置を含み、前記網ノード装置は前記ＩＰ網の内部の通信回線で接続され、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、端末Ｍ１は無線通信路ＲＣ１を経て無線基地局Ｂ１に接続され、端末Ｍ２は無線通信路ＲＣ２を経て無線基地局Ｂ２に接続され、
前記網ノード装置Ｎ１は装置制御表Ｈ１を含み、前記網ノード装置Ｎ２は装置制御表Ｈ２を含み、装置制御表Ｈ１及びＨ２はそれぞれの内部に複数の簡易カプセル化レコードを設定又は消去可能であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の簡易カプセル化レコードの規定に従う簡易カプセル化条件を満たすかを調べるアドレス入力条件検査が行われるようになっており、簡易カプセル化レコードが定めたアドレス入力条件を満たさない外部ＩＰパケットは廃棄され、
前記端末Ｍ１は電話番号又はホスト名を用いて前記端末Ｍ２に接続を要求するため、接続要求及び前記宛先端末Ｍ２の電話番号又はホスト名ＴＮＭ２を前記無線基地局Ｂ１に送信し、前記無線基地局Ｂ１は前記接続要求を含む外部ＩＰパケットを前記ＩＰ網に送信し、
前記網ノード装置Ｎ２は、前記接続要求に基づく着信通知を含む外部ＩＰパケットを前記無線基地局Ｂ２に送信し、前記無線基地局Ｂ２は前記着信通知を前記端末Ｍ２に送信し、
前記端末Ｍ２は応答準備開始を知らせる呼出中通知を前記無線基地局Ｂ２に送信し、前記無線基地局Ｂ２は前記呼出中通知を含む外部ＩＰパケットを前記ＩＰ網に送信し、前記ＩＰ網は前記呼出中通知を含む外部ＩＰパケットを前記無線基地局Ｂ１に送信し、前記無線基地局Ｂ１は前記呼出中通知を前記端末Ｍ１に送信し、
前記端末Ｍ２は応答通知を前記無線基地局Ｂ２に送信し、前記無線基地局Ｂ２は前記応答通知を含む外部ＩＰパケットを前記ＩＰ網に送信し、前記ＩＰ網は前記応答通知を含む外部ＩＰパケットを前記無線基地局Ｂ１に送信し、前記無線基地局Ｂ１は前記応答通知を前記端末Ｍ１に送信し、
前記網ノード装置Ｎ１は、前記論理端子ＬＰＢ２を識別する情報を含む簡易カプセル化コードＲ１２を前記装置制御表Ｈ１に設定し、前記網ノード装置Ｎ２は、前記論理端子ＬＰＢ1を識別する情報を含む簡易カプセル化レコードＲ２１を前記装置制御表Ｈ２に設定し、
前記レコードＲ１２及びＲ２１により前記論理端子ＬＰＢ１及びＬＰＢ２の間に、前記端末Ｍ１と前記端末Ｍ２との間の通信を行うための通信パスＰ１２が設定され、
前記端末Ｍ１は音声又はデータを無線通信路ＲＣ１を経て無線基地局Ｂ１に送信し、前記無線基地局Ｂ１は前記音声又はデータを含む外部ＩＰパケットＧＰ１を前記網ノード装置Ｎ１に送信し、前記網ノード装置Ｎ１は、前記簡易カプセル化レコードＲ１２を用いて前記外部ＩＰパケットＧＰ１がアドレス入力条件を満たすかを調べ、
前記アドレス入力条件が満たされると簡易カプセル化が行なわれて、前記外部ＩＰパケットＧＰ１及び前記論理端子ＬＰＢ２を識別する情報を含む内部パケットＮＰ１を形成し、前記簡易カプセル化は、前記外部ＩＰパケットＧＰ１、に前記ヘッダを付加することにより行われ、前記簡易ヘッダは宛先アドレスを含むがソースアドレスを含まないヘッダを付与することであり、前記網ノード装置Ｎ１は、前記内部パケットＮＰ１を前記通信パスＰ１２を経由して前記網ノード装置Ｎ２に送信し、前記網ノード装置Ｎ２は、前記内部パケットＮＰ１を簡易逆カプセル化して前記外部ＩＰパケットＧＰ１を復元し、前記簡易逆カプセル化は、前記簡易ヘッダ付内部パケットから前記簡易ヘッダを除くことにより達成され、
前記復元した外部ＩＰパケットＧＰ１を前記論理端子ＬＰＢ２及び前記通信回線Ｌ２を経て前記無線基地局Ｂ２に送信し、前記無線基地局Ｂ２は前記無線通信路ＲＣ２経由で前記音声又はデータを前記端末Ｍ２に送信し、
前記端末Ｍ１が通信解放通知を前記無線基地局Ｂ１に送信し、前記無線基地局Ｂ１は前記通信解放通知を含む外部ＩＰパケットを前記ＩＰ網に送信すると、前記ＩＰ網は前記簡易カプセル化レコードＲ１２及びＲ２１を消去し、前記通信パスＰ１２が抹消されることを特徴とするＩＰ網を用いた通信システム。
【請求項１８】
ＩＰ網は複数の網ノード装置を含み、前記複数の網ノード装置は前記ＩＰ網の内部の通信回線で接続され、無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、端末Ｍ１は無線通信路ＲＣ１を経て無線基地局Ｂ１に接続され、端末Ｍ２は無線通信路ＲＣ２を経て無線基地局Ｂ２に接続され、
前記網ノード装置Ｎ１は装置制御表Ｈ１を含み、前記網ノード装置Ｎ２は装置制御表Ｈ２を含み、装置制御表Ｈ１及びＨ２はそれぞれの内部に複数の簡易カプセル化レコードを設定又は消去可能であり、
前記端末Ｍ１は電話番号又はホスト名を用いて前記端末Ｍ２に接続を要求するため、接続要求及び前記宛先端末Ｍ２の電話番号又はホスト名ＴＮＭ２を前記ＩＰ網に送信し
前記端末Ｍ２が着信可能であれば、前記ＩＰ網は着信通知を前記端末Ｍ２に送信し、前記端末Ｍ２は応答準備開始を知らせる呼出中通知を前記ＩＰ網に送信し、前記ＩＰ網は前記呼出中通知を前記端末Ｍ１に送信し、前記端末Ｍ２は応答通知を前記ＩＰ網に送信し、前記ＩＰ網は前記応答通知を前記端末Ｍ１に送信し、
前記網ノード装置Ｎ１は、前記論理端子ＬＰ２を識別する識別情報を含む簡易カプセル化レコードＲ１２を前記装置制御表Ｈ１に設定し、前記網ノード装置Ｎ２は、前記論理端子ＬＰ1を識別する識別情報を含む簡易カプセル化レコードＲ２１を前記装置制御表Ｈ２に設定し、前記簡易カプセル化レコードＲ１２及びＲ２１により前記論理端子ＬＰ１及びＬＰ２の間に、前記端末Ｍ１と前記端末Ｍ２とが通信を行うための通信パスＰ１２が設定され、
前記端末Ｍ１は音声又はデータを含む外部ＩＰパケットＧＰ１を送信し、前記外部ＩＰパケットＧＰ１は、無線通信路ＲＣ１及び無線基地局Ｂ１を経て前記論理端子ＬＰ１から前記網ノード装置Ｎ１に入力し、
前記網ノード装置Ｎ１は、前記簡易カプセル化レコードＲ１２を用いて、前記外部ＩＰパケットＧＰ１がアドレス入力条件を満たすかを調べ、
前記アドレス条件が満たされると簡易カプセル化が行われ、前記外部ＩＰパケットＧＰ１を含み、前記論理端子ＬＰ２を識別する情報を含む内部パケットＮＰ１が形成され、前記簡易カプセル化は、外部ＩＰパケットに送信元内部アドレスを含まない簡易ヘッダを付与することであり、
前記内部パケットＮＰ１は前記通信パスＰ１２を経由して前記網ノード装置Ｎ２に送信され、前記網ノード装置Ｎ２は前記内部パケットＮＰ１から前記外部ＩＰパケットＧＰ１を復元し、前記復元した外部ＩＰパケットＧＰ１を前記論理端子ＬＰ２から送出すると、前記復元した外部ＩＰパケットＧＰ１は前記通信回線Ｌ２、前記無線基地局Ｂ２を経て前記端末Ｍ２に到達し、
前記網ノード装置Ｎ１及びＮ２は、前記端末Ｍ１又はＭ２からの通信切断の要求を基に、前記簡易カプセル化レコードＲ１２及びＲ２１を消去し、前記通信パスＰ１２が抹消されることを特徴とするＩＰ網を用いた通信システム。
【請求項１９】
ＩＰ網は網ノード装置を含み、無線基地局Ｂ１は通信回線Ｌ１を経て論理端子ＬＰＢ１で網ノード装置Ｎ１に接続され、端末Ｍ１は制御信号又はデータを無線通信路ＲＣ１経由で無線基地局Ｂ１に送受可能であり、端末Ｔ２は通信回線Ｌ２を経て論理端子ＬＰＴ２で網ノード装置Ｎ２に接続され、前記網ノード装置Ｎ１及びＮ２は前記ＩＰ網内部の通信回線で接続され、
前記網ノード装置Ｎ１は装置制御表Ｈ１を含み、前記網ノード装置Ｎ２は装置制御表Ｈ２を含み、装置制御表Ｈ１及びＨ２は、それぞれの内部に複数の通信レコードを設定又は消去可能であり、
前記端末Ｍ１は電話番号又はホスト名を用いて前記端末Ｔ２に接続要求するため、接続要求及び前記端末Ｔ２の電話番号又はホスト名ＴＮ２を前記無線通信路ＲＣ１経由で前記無線基地局Ｂ１へ送信し、前記無線基地局Ｂ１は前記接続要求及び前記電話番号又はホスト名ＴＮ２を前記ＩＰ網に送信し、
前記ＩＰ網は前記接続要求に基づく着信通知を前記端末Ｔ２に送信し、前記端末Ｔ２は応答準備開始を知らせる呼出中通知を前記ＩＰ網に送信し、前記ＩＰ網は前記呼出中通知を前記端末Ｍ１に送信し、前記端末Ｔ２は応答通知を前記ＩＰ網に送信し、前記ＩＰ網は前記応答通知を前記端末Ｍ１に送信し、
前記ＩＰ網は前記網ノード装置Ｎ１に対して、前記論理端子ＬＰＴ２の識別情報を含む通信レコードＲ１２の設定を指示し、前記網ノード装置Ｎ２に対して前記論理端子ＬＰＢ１の識別情報を含む通信レコードＲ２１の設定を指示し、前記通信レコードＲ１２及びＲ２１は前記網ノード装置Ｎ１及びＮ２の間に内部パケットが転送される通信パスＰ１２を定めており、
前記端末Ｍ１が音声又はデータを前記無線基地局Ｂ１に送信し、前記無線基地局Ｂ１が前記音声又はデータを含む外部ＩＰパケット１２を送信すると、
前記外部ＩＰパケット１２は論理端子ＬＰＢ１から前記網ノード装置Ｎ１に入力し、前記外部ＩＰパケット１２に含まれるＩＰアドレスと、前記論理端子ＬＰＢ１により識別される前記通信レコードＲ１２に含まれるＩＰアドレスとを比較してアドレス条件が判定され、前記アドレス条件が満たされると前記外部ＩＰパケット１２はカプセル化され、内部パケット１２に変換されて前記通信パスＰ１２を転送され、前記網ノード装置Ｎ２で逆カプセル化されて復元された前記外部ＩＰパケット１２が前記端末Ｔ２に送信され、
前記端末Ｍ１又は前記端末Ｔ２が通信解放通知を前記ＩＰ網に送信し、前記ＩＰ網は、前記通信レコードＲ１２及び前記通信レコードＲ２１の抹消を指示して前記通信パスＰ１２が抹消されることを特徴とするＩＰ網を用いた通信システム。
【請求項２０】
前記端末Ｔ２は、前記着信通知を前記ＩＰ網から受信した後、呼出中通知を前記ＩＰ網に送信する動作を省略しており、従って、前記ＩＰ網は呼出中通知を前記端末Ｍ１に送信しない請求項１９に記載のＩＰ網を用いた通信システム。
【請求項２１】
ＩＰ網は網ノード装置を含み、無線基地局Ｂ１は通信回線Ｌ１を経て論理端子ＬＰＢ１で網ノード装置Ｎ１に接続され、端末Ｍ１は制御信号又はデータを無線通信路ＲＣ１経由で無線基地局Ｂ１に送受可能であり、端末Ｔ２は通信回線Ｌ２を経て論理端子ＬＰＴ２で網ノード装置Ｎ２に接続され、前記網ノード装置Ｎ１及びＮ２は前記ＩＰ網内部の通信回線で接続され、
前記網ノード装置Ｎ１は装置制御表Ｈ１を含み、前記網ノード装置Ｎ２は装置制御表Ｈ２を含み、装置制御表Ｈ１及びＨ２は、それぞれの内部に複数の通信レコードを設定又は消去可能であり、
前記端末Ｍ１は電話番号又はホスト名を用いて前記端末Ｔ２に接続要求するため、接続要求及び前記端末Ｔ２の電話番号又はホスト名ＴＮ２を前記無線通信路ＲＣ１経由で前記無線基地局Ｂ１へ送信し、前記無線基地局Ｂ１は前記接続要求及び前記電話番号又はホスト名ＴＮ２を前記ＩＰ網に送信し、
前記ＩＰ網は、その内部に含むドメイン名サーバＤＳに、前記電話番号又はホスト名ＴＮ２を入力し、少なくとも、前記端末Ｔ２の外部ＩＰアドレス及びＣＰＧ・ＡＮＭ省略指定を取得し、
前記ＩＰ網は、前記接続要求に基づく着信通知を含む外部ＩＰパケット前記端末Ｔ２に送信し、
前記端末Ｔ２は、前記ＣＰＧ・ＡＮＭ省略指定を承知しているので、前記着信通知を含む前記外部ＩＰパケットを受信したとき、呼出中通知を含む外部ＩＰパケットを送信せず、
前記ＩＰ網は前記端末Ｔ２のＣＰＧ・ＡＮＭ省略に従い、前記端末Ｔ２からの呼出中通知が省略されていると判断して呼出中通知を生成し、前記生成した呼出中通知を前記端末Ｍ１に送信し、
前記端末Ｔ２は応答通知を前記ＩＰ網に送信し、前記ＩＰ網は前記応答通知を前記端末Ｍ１に送信し、
前記ＩＰ網は前記網ノード装置Ｎ１に対して、前記論理端子ＬＰＴ２の識別情報を含む通信レコードＲ１２の設定を指示し、前記網ノード装置Ｎ２に対して前記論理端子ＬＰＢ１の識別情報を含む通信レコードＲ２１の設定を指示し、前記通信レコードＲ１２及びＲ２１は前記網ノード装置Ｎ１及びＮ２の間に内部パケットが転送される通信パスＰ１２を定めており、
前記端末Ｍ１が音声又はデータを前記無線基地局Ｂ１に送信し、前記無線基地局Ｂ１が前記音声又はデータを含む外部ＩＰパケット１２を送信すると、
前記外部ＩＰパケット１２は論理端子ＬＰＢ１から前記網ノード装置Ｎ１に入力し、前記外部ＩＰパケット１２に含まれるＩＰアドレスと、前記論理端子ＬＰＢ１により識別される前記通信レコードＲ１２に含まれるＩＰアドレスとを比較してアドレス条件が判定され、前記アドレス条件が満たされると前記外部ＩＰパケット１２はカプセル化され、内部パケット１２に変換されて前記通信パスＰ１２を転送され、前記網ノード装置Ｎ２で逆カプセル化されて復元された前記外部ＩＰパケット１２が前記端末Ｔ２に送信され、
前記端末Ｍ１又は前記端末Ｔ２が通信解放通知を前記ＩＰ網に送信し、前記ＩＰ網は、前記通信レコードＲ１２及び前記通信レコードＲ２１の抹消を指示して前記通信パスＰ１２が抹消されることを特徴とするＩＰ網を用いた通信システム。
【請求項２２】
ＩＰ網は網ノード装置を含み、前記無線基地局Ｂ１は通信回線Ｌ１を経て論理端子ＬＰ１で網ノード装置Ｎ１に接続され、端末Ｔ２は通信回線Ｌ２を経て論理端子ＬＰ２で網ノード装置Ｎ２に接続され、前記網ノード装置Ｎ１及びＮ２は前記ＩＰ網内部の通信回線で接続され、端末Ｍ１は無線通信路ＲＣ１を経て無線基地局Ｂ１に接続され、前記網ノード装置Ｎ１は装置制御表Ｈ１を含み、前記網ノード装置Ｎ２は装置制御表Ｈ２を含み、装置制御表Ｈ１及びＨ２はそれぞれの内部に複数の通信レコードを設定又は消去可能であり、
前記端末Ｍ１は電話番号又はホスト名を用いて前記端末Ｔ２に接続を要求するため、接続要求及び前記宛先端末Ｔ２の電話番号又はホスト名ＴＮ２を前記ＩＰ網に送信し、
前記ＩＰ網は、前記接続要求に基づく着信通知を前記端末Ｔ２に送信し、前記端末Ｔ２は応答準備開始を知らせる呼出中通知を前記ＩＰ網に送信し、前記ＩＰ網は前記呼出中通知を前記端末Ｍ１に送信し、前記端末Ｔ２は応答通知を前記ＩＰ網に送信し、前記ＩＰ網は前記応答通知を前記端末Ｍ１に送信し、
前記網ノード装置Ｎ１は前記論理端子ＬＰ２を識別する情報を含む通信レコードＲ１２を前記装置制御表Ｈ１に設定し、前記網ノード装置Ｎ２は前記論理端子ＬＰ1を識別する情報を含む通信レコードＲ２１を前記装置制御表Ｈ２に設定し、前記通信レコードＲ１２及びＲ２１により前記論理端子ＬＰ１及びＬＰ２の間に，前記端末Ｍ１と前記端末Ｔ２との間の通信を行うための通信パスＰ１２を設定し、
前記端末Ｍ１は、音声又はデータを含む外部ＩＰパケットＧＰ１を無線通信路ＲＣ１を経て無線基地局Ｂ１に送信し、前記無線基地局Ｂ１は、前記通信回線Ｌ１及び前記論理端子ＬＰ１を経て前記外部ＩＰパケットＧＰ１を送信し、
前記外部ＩＰパケットＧＰ１は前記論理端子ＬＰ１から前記網ノード装置Ｎ１に入力し、前記外部ＩＰパケットＧＰ１に含まれるＩＰアドレスと、前記論理端子ＬＰ１により識別される前記通信レコードＲ１２に含まれるＩＰアドレスとを比較してアドレス条件が判定され、前記アドレス条件が満たされると前記外部ＩＰパケットＧＰ１を含む内部パケットＮＰ１が形成され、前記通信パスＰ１２を経由して前記網ノード装置Ｎ２に前記内部パケットＮＰ１を送信し、
前記網ノード装置Ｎ２は前記内部パケットＮＰ１から前記外部ＩＰパケットＧＰ１を復元し、前記外部ＩＰパケットＧＰ１を前記論理端子ＬＰ２及び前記通信回線Ｌ２を経て前記端末Ｔ２に送信し、
前記網ノード装置Ｎ１及びＮ２は、前記端末Ｍ１又はＴ２からの通信切断の要求を基に前記通信レコードＲ１２及びＲ２１を消去し、前記通信パスＰ１２が抹消されることを特徴とするＩＰ網を用いた通信システム。
【請求項２３】
前記端末Ｔ２は、前記着信通知を前記ＩＰ網から受信した後、呼出中通知を前記ＩＰ網に送信する動作を省略しており、従って、前記ＩＰ網は呼出中通知を前記端末Ｍ１に送信しない請求項２２に記載のＩＰ網を用いた通信システム。
【請求項２４】
ＩＰ網は網ノード装置を含み、前記無線基地局Ｂ１は通信回線Ｌ１を経て論理端子ＬＰ１で網ノード装置Ｎ１に接続され、端末Ｔ２は通信回線Ｌ２を経て論理端子ＬＰ２で網ノード装置Ｎ２に接続され、前記網ノード装置Ｎ１及びＮ２は前記ＩＰ網内部の通信回線で接続され、端末Ｍ１は無線通信路ＲＣ１を経て無線基地局Ｂ１に接続され、前記網ノード装置Ｎ１は装置制御表Ｈ１を含み、前記網ノード装置Ｎ２は装置制御表Ｈ２を含み、装置制御表Ｈ１及びＨ２はそれぞれの内部に複数の通信レコードを設定又は消去可能であり、
前記端末Ｍ１は電話番号又はホスト名を用いて前記端末Ｔ２に接続を要求するため、接続要求及び前記宛先端末Ｔ２の電話番号又はホスト名ＴＮ２を前記ＩＰ網に送信し、
前記ＩＰ網は、その内部に含むドメイン名サーバＤＳに前記電話番号又はホスト名ＴＮ２を入力し、少なくとも前記端末Ｔ２の外部ＩＰアドレス及びＣＰＧ・ＡＮＭ省略指定を取得し、
前記ＩＰ網は、前記接続要求に基づく着信通知を含む外部ＩＰパケット前記端末Ｔ２に送信し、
前記端末Ｔ２は、前記ＣＰＧ・ＡＮＭ省略指定を承知しているので、前記着信通知を含む前記外部ＩＰパケットを受信したとき、呼出中通知を含む外部ＩＰパケを送信せず、
前記ＩＰ網は前記端末Ｔ２のＣＰＧ・ＡＮＭ省略に従い、前記端末Ｔ２からの呼出中通知が省略されていると判断して呼出中通知を生成し、前記生成した呼出中通知を前記端末Ｍ１に送信し、
前記端末Ｔ２は応答通知を前記ＩＰ網に送信し、前記ＩＰ網は前記応答通知を前記端末Ｍ１に送信し、
前記網ノード装置Ｎ１は前記論理端子ＬＰ２を識別する情報を含む通信レコードＲ１２を前記装置制御表Ｈ１に設定し、前記網ノード装置Ｎ２は前記論理端子ＬＰ1を識別する情報を含む通信レコードＲ２１を前記装置制御表Ｈ２に設定し、前記通信レコードＲ１２及びＲ２１により前記論理端子ＬＰ１及びＬＰ２の間に，前記端末Ｍ１と前記端末Ｔ２との間の通信を行うための通信パスＰ１２を設定し、
前記端末Ｍ１は音声又はデータを含む外部ＩＰパケットＧＰ１を、無線通信路ＲＣ１を経て無線基地局Ｂ１に送信し、前記無線基地局Ｂ１は、前記通信回線Ｌ１及び前記論理端子ＬＰ１を経て前記外部ＩＰパケットＧＰ１を送信し、
前記外部ＩＰパケットＧＰ１は前記論理端子ＬＰ１から前記網ノード装置Ｎ１に入力し、前記外部ＩＰパケットＧＰ１に含まれるＩＰアドレスと、前記論理端子ＬＰ１により識別される前記通信レコードＲ１２に含まれるＩＰアドレスとを比較してアドレス条件が判定され、前記アドレス条件が満たされると前記外部ＩＰパケットＧＰ１を含む内部パケットＮＰ１が形成され、前記通信パスＰ１２を経由して前記網ノード装置Ｎ２に前記内部パケットＮＰ１を送信し、
前記網ノード装置Ｎ２は前記内部パケットＮＰ１から前記外部ＩＰパケットＧＰ１を復元し、前記外部ＩＰパケットＧＰ１を前記論理端子ＬＰ２及び前記通信回線Ｌ２を経て前記端末Ｔ２に送信し、
前記網ノード装置Ｎ１及びＮ２は、前記端末Ｍ１又はＴ２からの通信切断の要求を基に前記通信レコードＲ１２及びＲ２１を消去し、前記通信パスＰ１２が抹消されることを特徴とするＩＰ網を用いた通信システム。
【請求項２５】
ＩＰ網は複数の網ノード装置及び複数のルータを含み、前記網ノード装置及びルータは通信回線で接続されており、
端末Ｔｋ（ｋ＝０，１，・・・，ｎ）は通信回線Ｌｋを経て論理端子ＬＰｋで網ノード装置Ｎｋに接続され、
前記端末Ｔｋは固有の外部ＩＰアドレスＥａｋを付与され、前記論理端子ＬＰｋは前記論理端子ＬＰｋを識別するための内部ＩＰアドレスＩａｋを付与され、
前記網ノード装置Ｎｋの装置制御表Ｈｋに通信レコードＲｋが設定されており、前記通信レコードＲｋは、前記論理端子ＬＰｋ、前記外部ＩＰアドレスをＥａｋ及び前記内部ＩＰアドレスＩａｋを含み、
前記論理端子ＬＰｋ（ｋは１以上）は、前記論理端子ＬＰｋを識別する識別情報として更に内部ＩＰアドレスＩＭ２を付与され、前記通信レコードＲｋ（ｋは１以上）は前記内部ＩＰアドレスＩＭ２を含み、
マルチキャストデータを送信する前記端末Ｔ０が、前記外部ＩＰアドレスＥＡ０を送信元アドレス、前記外部ＩＰアドレスＭ２を宛先アドレスとする外部ＩＰパケットＰを送信し、前記外部ＩＰパケットＰが論理端子ＬＰ０から前記網ノード装置Ｎ０に入力し、
前記網ノード装置Ｎ０は、前記外部ＩＰパケットＰに含まれるＩＰアドレスと、前記通信レコードＲ０に含まれるＩＰアドレスとを比較してアドレス条件を判定し、前記アドレス条件が満たされると、
前記網ノード装置Ｎ０は、前記通信レコードＲ０を参照して前記内部ＩＰアドレスＩＭ２を宛先アドレスとする内部パケットＰを形成し、前記アドレス条件外の前記外部ＩＰパケットを廃棄し、
前記内部パケットＰは、前記通信レコードＲ０に含まれる内部パケットＰの送出先通信回線Ｇａ（ａ＝１，２，・・・）の識別情報を参照して１以上の通信回線Ｇａに送出され、前記内部パケットＰはルータＲＴｍ（ｍ＝１，２，・・・）に入力するか又は前記網ノード装置に入力し、
前記ルータＲＴｍは、前記内部ＩＰアドレスＩＭ２を含む経路表のレコードＲｘをその内部に見出し、前記経路表のレコードＲｘが示す１以上の送出先通信回線Ｇｂ（ｂ＝１，２，・・）に、前記内部パケットＰ又は前記内部パケットＰを複製した内部パケットＰを送出し、前記内部パケットＰは、更に次段のルータ又は前記網ノード装置のいずれかに入力し、前記次段のルータは前記内部パケットＰ又は複製した内部パケットＰをその送出先通信回線Ｇｃ（ｃ＝１，２，・・・）に送出し、前記同様の手順が繰り返され、最終的に前記内部パケットＰ又は複製された前記内部パケットＰは前記網ノード装置Ｎｋのいずれかに入力し、
前記網ノード装置Ｎｋ（ｋは１以上）は、内部通信回線から入力した内部パケットＰを前記通信レコードＲｋを参照して前記外部ＩＰパケットＰに復元すると共に、前記通信レコードＲｋ内のアドレス変換指定に基づいて、前記外部ＩＰパケットＰの宛先アドレスを前記端末Ｔｋの外部ＩＰアドレスＥａｋに変換して得られる外部ＩＰパケットＰｋを前記通信回線Ｌｋに送信し、
単一の端末から送信された外部ＩＰパケットは、宛先側の複数網ノード装置のアドレス変換指定により、宛先端末Ｔｋ（ｋは１以上）の個別外部ＩＰアドレスＥａｋに書換えられて送信されることを特徴とするＩＰ網を用いた通信システム。
【請求項２６】
ＩＰ網は複数の網ノード装置及び複数のルータを含み、マルチキャスト認証サーバ及びドメイン名サーバを含み、
前記網ノード装置、ルータ及びサーバ類は通信回線で接続されており、端末Ｔ０が通信回線Ｌ０を経て論理端子ＬＰ０で前記網ノード装置Ｎ０に接続しており、
無線基地局Ｂｋ（ｋ＝１，２，・・・，ｎ）は通信回線Ｌｋを経て論理端子ＬＰｋで網ノード装置Ｎｋに接続され、外部ＩＰアドレスとしてＥＡＢｋを有し、
前記論理端子ＬＰｋは前記論理端子ＬＰｋを識別する識別情報としての内部ＩＰアドレスＩＡＢｋを付与され、
前記端末Ｔ０が、前記外部ＩＰアドレスＥＡ０を送信元アドレス、前記外部ＩＰアドレスＭ２を宛先アドレスとする外部ＩＰパケットＰを前記通信回線Ｌ０に送信すると、前記外部ＩＰパケットＰが論理端子ＬＰ０から前記網ノード装置Ｎ０に入力し、
前記網ノード装置Ｎ０は、前記外部ＩＰパケットＰに含まれるＩＰアドレスと、前記通信レコードＲ０に含まれるＩＰアドレスとを比較してアドレス条件を判定し、前記アドレス条件が満たされると、前記通信レコードＲ０を参照して前記内部ＩＰアドレスＩＭ２を宛先アドレスとする内部パケットＰを形成し、前記アドレス条件外の前記外部ＩＰパケットを廃棄し、
前記内部パケットＰは、前記通信レコードＲ０に含まれる内部パケットＰの送出先通信回線Ｇａ（ａ＝１，２，・・・）の識別情報を参照して１以上の通信回線Ｇａに送出され、前記内部パケットＰはルータＲＴｍ（ｍ＝１，２，・・・）に入力するか又は前記網ノード装置入力し、
前記ルータＲＴｍは、前記内部ＩＰアドレスＩＭ２を含む経路表のレコードＲｘをその内部に見出し、前記経路表のレコードＲｘが示す１以上の送出先通信回線Ｇｂ（ｂ＝１，２，・・・）に、前記内部パケットＰ又は前記内部パケットＰを複製した内部パケットＰを送出し、前記内部パケットＰは、更に次段のルータ又は前記網ノード装置のいずれかに入力し、前記次段のルータは前記内部パケットＰ又は複製した内部パケットＰをその送出先通信回線Ｇｃ（ｃ＝１，２，・・・）に送出し、前記同様の手順が繰り返され、最終的に前記内部パケットＰ又は複製された前記内部パケットＰは前記網ノード装置Ｎｋの全てに入力するようになっており、
前記端末Ｔ０が、前記外部ＩＰアドレスＥＡ０を送信元アドレス、前記外部ＩＰアドレスＭ２を宛先アドレスとし、複数データｍ（ｍ＝１，２，・・・）を含む複数の外部ＩＰパケットＰｍを送信し続けており、前記外部ＩＰパケットＰｍは内部パケットＰｍ（ｍ＝１，２，・・・）となって前記網ノード装置Ｎｋに到達し続けており、
移動端末Ｍ１が、前記外部ＩＰパケットＰｍ（ｍ：整数）の少なくとも１つを受信するため、無線基地局Ｂ１と通信して無線通信路ＲＣ１を確保し、前記無線通信路ＲＣ１を経てマルチキャスト受信要求を前記無線基地局Ｂ１へ送信し、前記マルチキャスト受信要求は、前記端末Ｍ１の電話番号又はホスト名ＴＮ１とマルチキャスト受信端末認証情報ＰＩＤ−Ｍ１とを含み、前記無線基地局Ｂ１は前記マルチキャスト受信要求を含む外部ＩＰパケットを形成して送信すると、前記外部ＩＰパケットは前記網ノード装置Ｎ１でマルチキャスト受信要求を含む内部パケットとなってマルチキャスト認証サーバＭＳに到達し、前記マルチキャスト認証サーバＭＳは、ドメイン名サーバに前記電話番号又はホスト名ＴＮ１とマルチキャスト受信端末認証情報ＰＩＤ−Ｍ１との組を提示し、前記ドメイン名サーバは前記マルチキャスト受信端末認証情報ＰＩＤ−Ｍ１の合否判定を前記マルチキャスト認証サーバＭＳに通知し、合否判定が合格であると、マルチキャスト認証サーバＭＳは前記マルチキャスト受信要求を含む外部ＩＰパケットが入力した前記網ノード装置Ｎ１の装置制御表Ｈ１内に通信レコードＲ１の設定を指示し、前記通信レコードＲ１は、前記通信回線Ｌ１を識別する識別情報，前記無線基地局Ｂ１の外部ＩＰアドレスＥＡＢ１及び前記内部ＩＰアドレスＩＡＢ１を含み、
前記通信レコードＲ１の設定により、前記網ノード装置Ｎ１は、前記通信レコードＲ１を参照して内部通信回線から入力した１以上の内部パケットＰｘを前記外部ＩＰパケットＰｘに復元すると共に、前記通信レコードＲ１内のアドレス変換指定に基づいて、前記外部ＩＰパケットＰｘの宛先アドレスを前記無線基地局Ｂ１の外部ＩＰアドレスをＥＡＢ１に変換して得られる外部ＩＰパケットＰｘ１を前記通信回線Ｌ１に送信し、前記無線基地局Ｂ１は、受信した前記外部ＩＰパケットＰｘ１内データを前記無線通信路ＲＣ１経由で前記端末Ｍ１に送信し、
移動端末Ｍ１が、マルチキャスト受信終了要求を前記無線基地局Ｂ１経由でマルチマルチキャスト認証サーバＭＳへ送信すると、前記マルチキャスト認証サーバＭＳは前記網ノード装置Ｎ１に前記通信レコードＲ１の抹消を指示し、
前記同様にして、移動端末Ｍ２が無線基地局Ｂ２を経由して、前記端末Ｔ０が送信した外部ＩＰパケットを受信することが可能であることを特徴とするＩＰ網を用いた通信システム。
【請求項２７】
ＩＰ網は複数の網ノード装置及び複数のルータを含み、マルチキャスト認証サーバ及びドメイン名サーバを含み、
前記網ノード装置、ルータ及びサーバ類は通信回線で接続されており、端末Ｔ０が通信回線Ｌ０を経て論理端子ＬＰ０で前記網ノード装置Ｎ０に接続しており、
無線基地局Ｂｋ（ｋ＝１，２，・・・，ｎ）は通信回線Ｌｋを経て論理端子ＬＰｋで網ノード装置Ｎｋに接続され、前記論理端子ＬＰｋは前記論理端子ＬＰｋを識別する識別情報としての内部ＩＰアドレスＩＡＢｋを付与され、
移動端末は外部ＩＰアドレスを有しており、
前記端末Ｔ０が、前記外部ＩＰアドレスＥＡ０を送信元アドレス、前記外部ＩＰアドレスＭ２を宛先アドレスとする外部ＩＰパケットＰを前記通信回線Ｌ０に送信すると、前記外部ＩＰパケットＰが論理端子ＬＰ０から前記網ノード装置Ｎ０に入力し、
前記網ノード装置Ｎ０は、前記外部ＩＰパケットＰに含まれるＩＰアドレスと、前記通信レコードＲ０に含まれるＩＰアドレスとを比較してアドレス条件を判定し、前記アドレス条件が満たされると、前記通信レコードＲ０を参照して前記内部ＩＰアドレスＩＭ２を宛先アドレスとする内部パケットＰを形成し、前記アドレス条件外の前記外部ＩＰパケットを廃棄し、
前記内部パケットＰは、前記通信レコードＲ０に含まれる内部パケットＰの送出先通信回線Ｇａ（ａ＝１，２，・・・）の識別情報を参照して１以上の通信回線Ｇａに送出され、前記内部パケットＰはルータＲＴｍ（ｍ＝１，２，・・・）に入力するか又は前記網ノード装置入力し、
前記ルータＲＴｍは、前記内部ＩＰアドレスＩＭ２を含む経路表のレコードＲｘをその内部に見出し、前記経路表のレコードＲｘが示す１以上の送出先通信回線Ｇｂ（ｂ＝１，２，・・・）に、前記内部パケットＰ又は前記内部パケットＰを複製した内部パケットＰを送出し、前記内部パケットＰは、更に次段のルータ又は前記網ノード装置のいずれかに入力し、前記次段のルータは前記内部パケットＰ又は複製した内部パケットＰをその送出先通信回線Ｇｃ（ｃ＝１，２，・・・）に送出し、前記同様の手順が繰り返され、最終的には、前記内部パケットＰ又は複製された前記内部パケットＰは前記網ノード装置Ｎｋの全てに入力するようになっており、
前記端末Ｔ０が、前記外部ＩＰアドレスＥＡ０を送信元アドレス、前記外部ＩＰアドレスＭ２を宛先アドレスとし、複数データｍ（ｍ＝１，２，・・・）を含む複数の外部ＩＰパケットＰｍを送信し続けており、前記外部ＩＰパケットＰｍは内部パケットＰｍ（ｍ＝１，２，・・・）となって前記網ノード装置Ｎｋに到達し続けており、
移動端末Ｍ１が、前記外部ＩＰパケットＰｍ（ｍ：整数）の少なくとも１つを受信するため、無線基地局Ｂ１と通信して無線通信路ＲＣ１を確保し、前記端末Ｍ１の外部ＩＰアドレスＥＡ１を送信元アドレス、マルチキャスト認証サーバＭＳの外部ＩＰアドレスを宛先アドレスとし、マルチキャスト受信要求を含む外部ＩＰパケットを形成して送信し、前記マルチキャスト受信要求は、前記端末Ｍ１の電話番号又はホスト名ＴＮ１とマルチキャスト受信端末認証情報ＰＩＤ−Ｍ１とを含み、前記外部ＩＰパケットは前記網ノード装置Ｎ１でマルチキャスト受信要求を含む内部パケットとなってマルチキャスト認証サーバＭＳに到達し、
前記マルチキャスト認証サーバＭＳは、ドメイン名サーバに前記電話番号又はホスト名ＴＮ１とマルチキャスト受信端末認証情報ＰＩＤ−Ｍ１との組を提示し、前記ドメイン名サーバは前記マルチキャスト受信端末認証情報ＰＩＤ−Ｍ１の合否判定を前記マルチキャスト認証サーバＭＳに通知し、合否判定が合格であると、マルチキャスト認証サーバＭＳは前記マルチキャスト受信要求を含む外部ＩＰパケットが入力した前記網ノード装置Ｎ１の装置制御表Ｈ１内に通信レコードＲ１の設定を指示し、前記通信レコードＲ１は、前記通信回線Ｌ１を識別する識別情報、前記移動端末Ｍ１又の外部ＩＰアドレスＥＡ１及び前記論理端子ＬＰＢ１の識別情報としての前記内部ＩＰアドレスＩＡＢ１を含み、
前記通信レコードＲ１の設定により、前記網ノード装置Ｎ１は、前記通信レコードＲ１を参照して内部通信回線から入力した１以上の内部パケットＰｘを前記外部ＩＰパケットＰｘに復元すると共に、前記通信レコードＲ１内のアドレス変換指定に基づいて、前記外部ＩＰパケットＰｘの宛先アドレスを前記端末Ｍ１の外部ＩＰアドレスＥＡ１に変換して得られる外部ＩＰパケットＰｘ１を前記通信回線Ｌ１に送信すると、前記外部ＩＰパケットＰｘは前記無線基地局Ｂ１及び前記無線通信路ＲＣ１経由で前記端末Ｍ１に到達し、
移動端末Ｍ１が、マルチキャスト受信終了要求を前記無線基地局Ｂ１経由でマルチマルチキャスト認証サーバＭＳへ送信すると、前記マルチキャスト認証サーバＭＳは、前記網ノード装置Ｎ１に前記通信レコードＲ１の抹消を指示し、前記同様にして、移動端末Ｍ２が無線基地局Ｂ２を経由して、前記端末Ｔ０が送信した外部ＩＰパケットを受信することが可能であることを特徴とするＩＰ網を用いた通信システム。
【請求項２８】
外部ＩＰアドレスＥＡ１ｘである端末Ｔ１ｘが通信回線Ｌ１ｘを経て論理端子ＬＰ１ｘで前記網ノード装置Ｎ１に接続され、外部ＩＰアドレスＥＡ２ｘである端末Ｔ２ｘが通信回線Ｌ２ｘを経て論理端子ＬＰ２ｘで前記網ノード装置Ｎ２に接続され、前記網ノード装置Ｎ１は前記論理端子ＬＰ１ｘを識別する識別情報を含む通信レコードＲ１ｘを設定しており、前記網ノード装置Ｎ２は論理端子ＬＰ２ｘを識別する識別情報を含む通信レコードＲ２ｘを設定しており、前記通信レコードＲ１ｘ及びＲ２ｘは前記網ノード装置Ｎ１及びＮ２の間に内部パケットが転送される通信パスＰ１２ｘを定めており、
前記端末Ｔ１ｘが送信元外部ＩＰアドレスＥＡ１ｘ，宛先外部ＩＰアドレスＥＡ２ｘである外部ＩＰパケットを送出すると、前記外部ＩＰパケットは論理端子ＬＰ１ｘから前記網ノード装置Ｎ１に入力し、前記外部ＩＰパケットに含まれるＩＰアドレスと、前記通信レコードＲ１ｘに含まれるＩＰアドレスとを比較してアドレス条件を判定し、前記アドレス条件が満たされるとＩＰカプセル化され、内部パケットとなって前記通信パスＰ１２ｘを転送され、前記網ノード装置Ｎ２において前記通信レコードＲ２ｘが参照され、逆ＩＰカプセル化されて復元した前記外部ＩＰパケットが前記端末Ｔ２ｘに到達するようになっており、前記端末Ｔ１ｘ及び端末Ｔ２ｘの間で電話番号又はホスト名を用いずにＩＰパケットを送受する通信が可能である請求項２５乃至２７のいずれかに記載のＩＰ網を用いた通信システム。
【請求項２９】
前記ＩＰ網はトリー構築サーバを含み、前記トリー構築サーバは、マルチキャスト技法による内部パケットの転送経路であるマルチキャスト木構造状通信路を決定する機能を有し、前記マルチキャスト木構造状通信路は、内部パケットが転送される木構造状に見える通信路であり、
内部パケットが送信される起点の通信装置は前記網ノード装置Ｎ０であり、内部パケットが単一の内部通信回線又は２以上の内部通信回線に分岐されて転送される通信装置は前記複数のルータであり、内部パケットが最終的に到達する通信装置は前記複数の網ノード装置Ｎｋ（ｋ＝１，２，・・・，ｎ）であり、
前記マルチキャスト木構造状通信路を特定する機能は、網ノード装置の装置制御表内に設定する通信レコードに設定される内部パケット又は外部パケットの送出先通信回線を特定する機能と、ルータ内の経路表のレコードに設定される内部パケットの送出先通信回線を特定する機能とを含み、
前記トリー構築サーバは、前記マルチキャスト木構造状通信路の構築に関わる前記複数網ノード装置の装置制御表追加情報及び前記複数のルータの経路表追加情報を形成して、前記網ノード装置又は前記ルータに送信し、
或いは受信端末が増加又は減少して、前記マルチキャスト木構造を変更するケースでは、前記トリー構築サーバは装置制御表変更情報及び経路表変更情報を前記網ノード装置又は前記ルータに送信し、前記マルチキャスト木構造を抹消するケースでは、前記トリー構築サーバは装置制御表解放情報及び経路表解放情報を前記網ノード装置又は前記ルータに送信する請求項２５乃至２７のいずれかに記載のＩＰ網を用いた通信システム。
【請求項３０】
前記端末Ｔ０が送信した外部ＩＰパケットＥ０に格納されたデータ、音声又は画像は暗号化されており、
前記端末Ｔ１乃至Ｔｎ（ｎは１以上の整数）は復号化鍵Ｋを保持しており、前記端末Ｔ１乃至Ｔｎを除く他の端末は復号化鍵Ｋを保持しておらず、
前記端末Ｔ１乃至Ｔｎは、前記外部ＩＰパケットＥ０を受信すると、前記復号化鍵Ｋを用いて暗号化前のデータ、音声又は画像を復元可能であり、
前記端末Ｔ１乃至Ｔｎを除く他の端末は前記外部ＩＰパケットＥ０を受信した場合でも、暗号化前のデータ、音声又は画像のいずれも復元できないようになっている請求項２５乃至２７のいずれかに記載のＩＰ網を用いた通信システム。
【請求項３１】
前記端末Ｔ１乃至Ｔｎ（ｎは１以上の整数）はパスワードＰＷを保持しており、前記端末Ｔ１乃至Ｔｎを除く他の端末はパスワードＰＷを保持しておらず、前記端末Ｔ１乃至Ｔｎは前記外部ＩＰパケットＥ０を受信すると、前記パスワードＰＷを用いて前記外部ＩＰパケットＥ０に格納されているデータ、音声又は画像を取得し、
前記端末Ｔ１乃至Ｔｎを除く他の端末は、前記外部ＩＰパケットを電気信号の形態として受信した場合でも、前記パスワードＰＷを保持していない理由により、前記外部ＩＰパケットに格納されているデータ、音声又は画像のいずれも取得できない請求項２５乃至２７のいずれかに記載のＩＰ網を用いた通信システム。